(57)【要約】      （修正有）【課題】スムージー等のソフトアイス飲料を製造するに適したソフトアイス製造装置を提供する。【解決手段】底部に形成したスリット部に切削刃を備えた有底筒状の装置本体と、該装置本体内に立設した固定軸に対してハブを介して回転可能に支持されているとともに、内側にスパイラル構造の氷押圧羽根を備えたホッパー状の回転ケーシングと、回転ハンドルの回転操作により、上記回転ケーシング内の底部に投入された氷類を上記回転ケーシングのスパイラル構造の押圧羽根で押え付けながら、上記切削刃上を回転させて切削することにより、氷を削るようにしてなるソフトアイス製造装置であって、蓋と回転ケーシングとの間の半径方向の位置を異にする複数の個所に、相対摺動自在に衝合して上記回転ケーシングの移動を阻止する衝合部を設けた。【選択図】        図９
2004177088.tif 000002
【特許請求の範囲】
【請求項１】
底部に形成したスリット部に切削刃を備えた有底筒状の装置本体と、該装置本体内に立設した固定軸に対してハブを介して回転可能に支持されているとともに、内側にスパイラル構造の氷押圧羽根を備えたホッパー状の回転ケーシングと、該回転ケーシングの外周に沿って設けられた第１の歯車と、上記装置本体の開口縁部に外周部が係合される蓋と、上記装置本体を支持する支持手段と、上記装置本体の一側部に上下方向に回転操作可能に軸支された回転ハンドルと、該回転ハンドルの操作面と反対面側の外周に設けられ、上記回転ケーシング側第１の歯車と交差方向に噛み合って上記第１の歯車を回転させる第２の歯車とを備え、上記回転ハンドルの回転操作により、上記回転ケーシング内の底部に投入された氷類を上記回転ケーシングのスパイラル構造の押圧羽根で押え付けながら、上記切削刃上を回転させて切削することにより、氷を削るようにしてなるソフトアイス製造装置であって、上記蓋と回転ケーシングとの間の半径方向の位置を異にする複数の個所に、相対摺動自在に衝合して上記回転ケーシングの移動を阻止する衝合部を設けたことを特徴とするソフトアイス製造装置。
【請求項２】
衝合部が設けられる半径方向の位置を異にする複数の個所は、蓋および回転ケーシングの中心軸部分と外周部分の複数の個所であることを特徴とする請求項１記載のソフトアイス製造装置。
【請求項３】
衝合部各々の少なくとも衝合面を形成する部分は、その他の部分に比べて摺動性の高い材料により形成されていることを特徴とする請求項１又は２記載のソフトアイス製造装置。
【請求項４】
中心軸部分の衝合部は、蓋側のものが軸状の凸部であり、回転ケーシング側のものが、ハブの内側に嵌合され、装置本体側固定軸との間で摺動作用を果たすスリーブ状の摺動部材の上端部であることを特徴とする請求項２又は３記載のソフトアイス製造装置。
【請求項５】
外周部分の衝合部は、蓋側のものが軸状の凸部であり、回転ケーシング側のものは開口部外周の立縁部であることを特徴とする請求項２，３又は４記載のソフトアイス製造装置。
【請求項６】
蓋中心軸部分の凸部は、外周部分の凸部よりも相対的に高さが高くなっていることを特徴とする請求項４記載のソフトアイス製造装置。
【請求項７】
立縁部の半径方向の幅は、衝合する凸部の衝合面の径よりも小さく形成されていることを特徴とする請求項５記載のソフトアイス製造装置。
【請求項８】
装置本体の開口縁部と蓋外周縁部との係合は、蓋閉回転方向に係合されるヘリコイド係合であることを特徴とする請求項１，２，３，４，５，６又は７記載のソフトアイス製造装置。
【発明の詳細な説明】
【０００１】
【発明の属する技術分野】
本願発明は、ソフトアイス飲料の製造を含めた各種氷類の切削に使用できるソフトアイス製造装置の構造に関するものである。
【０００２】
【従来の技術】
従来から氷かき装置（アイス製造装置）として、例えば底部のスリット部に切削刃を備えた有底筒状の装置本体と、該装置本体内に立設された固定軸に遊嵌され、リング状の傘歯車を介して回転可能に支持されているとともに、内側にスパイラル構造の氷押圧羽根を備えたホッパー状の回転ケーシングと、上記装置本体を支持するスタンドと、該スタンドの一側部に上下方向に回転操作可能に軸支された回転ハンドルと、該回転ハンドルの操作面と反対面側に設けられ、上記第１の傘歯車と交差方向に噛合して上記第１の傘歯車を回転駆動するリング状の第２の傘歯車とを備え、上記回転ケーシング内の底部に投入された氷類を上記回転ケーシングのスパイラル構造の押圧羽根で押え付けながら回転させて、上記切削刃で切削することにより、氷を削るようにしたものがある（例えば、特許文献１参照）。
【０００３】
このような構成の場合、上記回転ケーシングの中に氷を入れて、上記回転ハンドルを回転操作し、上記回転ケーシングを回転させると、上記押圧羽根の下に氷が入り、上記回転ケーシングの上下動や傾動が避けられない。
【０００４】
そこで、上記従来の装置では、蓋の外周縁部を上記装置本体の開口部外周縁に嵌合するとともに、上記回転ケーシングの中心軸側スリーブ構造のハブが遊嵌されている装置本体側中心軸部分の固定軸の上端部に対して、同蓋の中心軸部分裏側に設けた筒状のボス部材下端を螺合し、その外周に一体形成したフランジ部で上記回転ケーシングのハブ上端を係止することにより、当該回転ケーシングの上下動や傾動を阻止するようにしていた。
【０００５】
【特許文献１】
実公平５−３７１７９号公報（第３頁、第１図および第２図）
【０００６】
【発明が解決しようとする課題】
しかし、以上のような構成の場合、上記回転ケーシングが中心軸側ハブ部分１ケ所のみでしか係止されていない。
【０００７】
したがって、押圧羽根が氷を押圧した時の傾動に対する支持剛性が極めて低く、安定した氷の切削ができない課題がある。また、それゆえにこそ、同傾動が生じることを前提とした発明構成となっている。
【０００８】
また、上記従来の構成では、ボス部材を固定軸に対して螺合するようになっているので、その螺合深さを大きくして締結力を増大させることも考えられるが、回転ケーシング側のハブと蓋側のボス部材とは、相対回動するものなので、締結力をを大きくしてフランジ部でハブ上端を押圧するということはできない。
【０００９】
さらに、螺合構造だけの場合、振動による戻りが発生して蓋の緩みが生じやすい。そのため、余計に安定性が悪くなる。
【００１０】
これらの課題は、特に削るべき氷の厚さを薄くし、できるだけソフトなアイスを製造しようとした時に、より顕著となる。
【００１１】
本願発明は、このような課題を解決するためにはされたもので、回転ケーシングと蓋との間において、半径方向の位置を異にする複数の個所に、相対回動自在で相互に衝合する衝合部を設けることにより、回転ケーシングの上下動はもちろん、傾動をも可及的に防止し得るようにしたソフトアイス製造装置を提供することを目的とするものである。
【００１２】
【課題を解決するための手段】
本願発明は、同目的を達成するために、次のような課題解決手段を備えて構成されている。
【００１３】
（１）  第１の課題解決手段（請求項１の発明）
本願発明の第１の課題解決手段は、底部に形成したスリット部に切削刃を備えた有底筒状の装置本体と、該装置本体内に立設した固定軸に対してハブを介して回転可能に支持されているとともに、内側にスパイラル構造の氷押圧羽根を備えたホッパー状の回転ケーシングと、該回転ケーシングの外周に沿って設けられた第１の歯車と、上記装置本体の開口縁部に外周部が係合される蓋と、上記装置本体を支持する支持手段と、上記装置本体の一側部に上下方向に回転操作可能に軸支された回転ハンドルと、該回転ハンドルの操作面と反対面側の外周に設けられ、上記回転ケーシング側第１の歯車と交差方向に噛み合って上記第１の歯車を回転させる第２の歯車とを備え、上記回転ハンドルの回転操作により、上記回転ケーシング内の底部に投入された氷類を上記回転ケーシングのスパイラル構造の押圧羽根で押え付けながら、上記切削刃上を回転させて切削することにより、氷を削るようにしてなるソフトアイス製造装置であって、上記蓋と回転ケーシングとの間の半径方向の位置を異にする複数の個所に、相対摺動自在に衝合して上記回転ケーシングの移動を阻止する衝合部を設けたことを特徴としている。
【００１４】
このような構成によれば、例えば蓋および回転ケーシングの例えば半径方向中心軸部側の衝合部が、回転ケーシング中心軸部側摺動部材の上端部を回転抵抗の小さい可及的に小さな接触面積で確実に受け止め、回転ケーシングの安定した回転を確保する。
【００１５】
また蓋および回転ケーシングの例えば半径方向外周部側の衝合部が回転ケーシング外周部側を回転抵抗の小さい可及的に小さな接触面積で確実に受け止め、回転ケーシングの傾動をも防止する。
【００１６】
したがって、回転ケーシングの、安定した回転状態が実現される。
【００１７】
この結果、厚さの一定したソフトな氷類のスライスが可能になる。
【００１８】
（２）  第２の課題解決手段（請求項２の発明）
本願発明の第２の課題解決手段は、上記第１の課題解決手段の構成において、衝合部が設けられる半径方向の位置を異にする複数の個所は、蓋および回転ケーシングの中心軸部分と外周部分の複数の個所であることを特徴としている。
【００１９】
このような構成によると、基本的には、先ず回転ケーシングの上下動を蓋中心軸部分の衝合部で同軸方向に受け止めて確実に係止し、１点での点接触に近い低回転抵抗でスムーズに回転させる。
【００２０】
他方、同状態から所定角度以上傾動すると、今度は外周部の衝合部同士が回転ケーシングの外周部をスライド可能に受け止めて、それ以上の傾動を阻止し、可及的にスムーズな回転を確保する。
【００２１】
（３）  第３の課題解決手段（請求項３の発明）
本願発明の第３の課題解決手段は、上記第１又は第２の課題解決手段の構成において、衝合部各々の少なくとも衝合面を形成する部分は、その他の部分に比べて摺動性の高い材料により形成されていることを特徴としている。
【００２２】
衝合部は、衝合当接した状態では、相互に摺動しながら、相対的に回転する。
【００２３】
したがって、それら衝合面は、共に摩擦係数が小さく、かつ硬度も高くて摺動性の高いものであることが好ましい。
【００２４】
したがって、上記のように衝合部各々の少なくとも衝合面を形成する部分は、その他の部分に比べて摺動性の高い材料により形成する。
【００２５】
（４）  第４の課題解決手段（請求項４の発明）
本願発明の第４の課題解決手段は、上記第２又は第３の課題解決手段の構成において、中心軸部分の衝合部は、蓋側のものが軸状の凸部であり、回転ケーシング側のものがハブの内側に嵌合され、装置本体側固定軸との間で摺動作用を果たすスリーブ状の摺動部材の上端部であることを特徴としている。
【００２６】
このような構成によれば、蓋中心軸部側軸状の凸部が、回転ケーシング中心軸部側摺動部材の上端部を回転抵抗の小さい可及的に小さな接触面積で確実に受け止め、回転ケーシングの安定した回転を確保することができる。
【００２７】
（５）  第５の課題解決手段（請求項５の発明）
本願発明の第５の課題解決手段は、上記第２，第３又は第４の課題解決手段の構成において、外周部分の衝合部は、蓋側のものが軸状の凸部であり、回転ケーシング側のものは開口部外周の立縁部であることを特徴としている。
【００２８】
このような構成によれば、蓋外周部側軸状の凸部が、回転ケーシング外周部側開口部の立縁部上端を回転抵抗の小さい可及的に小さな接触面積で確実に受け止め、回転ケーシングの安定した回転を確保することができる。
【００２９】
（６）  第６の課題解決手段（請求項６の発明）
本願発明の第６の課題解決手段は、上記第第４の課題解決手段の構成において、蓋中心軸部分の凸部は、外周部分の凸部よりも相対的に高さが高くなっていることを特徴としている。
【００３０】
このような構成によると、基本的には、先ず回転ケーシングの上下動を蓋中心軸部分の凸部で同軸方向に受け止めて確実に係止し、１点での点接触に近い低回転抵抗でスムーズに回転させる。
【００３１】
一方、同状態から所定角度以上傾動すると、今度は外周部の軸状の凸部が回転ケーシング外周側の開口部の立縁部上端を受け止めて、それ以上の傾動を阻止し、可及的にスムーズな回転を確保する。
【００３２】
（７）  第７の課題解決手段（請求項７の発明）
本願発明の第７の課題解決手段は、上記第５の課題解決手段の構成において、立縁部の半径方向の幅は、衝合する凸部の衝合面の径よりも小さく形成されていることを特徴としている。
【００３３】
このように構成されていると、蓋側の軸状の凸部に対し回転ケーシング外周側開口部の立縁部上端が確実に衝合当接して係止される一方、該当接係止状態における相互の接触部の面積が小さくなるから、摺動時の接触抵抗も小さく、回転ケーシングの回転のスムーズさを確保することができる。
【００３４】
（８）  第８の課題解決手段（請求項８の発明）
本願発明の第８の課題解決手段は、上記第１，第２，第３，第４，第５，第６又は第７の課題解決手段の構成において、装置本体の開口縁部と蓋外周縁部との係合は、蓋閉回転方向に係合されるヘリコイド係合であることを特徴としている。
【００３５】
このように構成されると、蓋全体の装置本体に対する係止、固定が確実になり、振動等によっても容易には緩まないようになる。
【００３６】
【発明の効果】
以上の結果、本願発明のソフトアイス製造装置によると、氷切削時において安定した回転ケーシングの回転動作が確保され、一定の薄さのソフトな氷をスムーズにスライスすることが可能となる。
【００３７】
その結果、通常の氷かき装置としてはもちろん、スムージーメーカーなどのソフトアイス飲料製造装置に適したソフトアイス製造装置となる。
【００３８】
【発明の実施の形態】
（実施の形態１）
図１〜図１４は、例えば一例として、ソフトアイス飲料製造装置に適用した本願発明の実施の形態１に係るソフトアイス製造装置の構成を示している。
【００３９】
（ソフトアイス飲料製造装置全体の構成）
先ず、この実施の形態のソフトアイス飲料の製造装置は、その基本的な構成として、氷又は凍らせた所望の材料（果肉等）を切削する氷等切削機構１Ａを有するソフトアイス製造装置１と、該ソフトアイス製造装置１で薄く切削された氷又は凍らせた所望の材料等を所望の飲料（牛乳、ヨーグルト等）とともに撹拌する撹拌手段２Ａを備えた受けカップ２と、上記ソフトアイス製造装置１を上方部に支持固定するとともに、その下方に上記受けカップ２を載置するスタンド３と、上記ソフトアイス製造装置１の氷等切削機構１Ａおよび受けカップ２側の撹拌手段２Ａを作動させる回転操作機構４と、該回転操作機構４の回転力を上記氷等切削機構１Ａに伝達する第１の回転力伝達機構５と、同回転操作機構４の回転力を上記撹拌手段２Ａに伝達する第２の回転力伝達機構６と、上記受けカップ２の底部と上記スタンド３のベースプレート３１との間にあって、上記受けカップ２を昇降させる昇降構造部７とを備えて構成されている。
【００４０】
（ソフトアイス飲料製造装置各部の構成と作用）
先ず、上記ソフトアイス製造装置１部分は、図１〜図５、図９に示すように、好みのスムージーを作るのに必要で、少なくとも切削を要する氷又は凍らせた果肉等の所望の材料（以下、氷等という）が最初から全て一緒に投入され、それらを同時に薄く切削する部分であり、例えば合成樹脂製（例えば低コストなＡＢＳ）の本体ケーシング１１内に、氷等の切削機構１Ａを備えて構成されている。
【００４１】
この本体ケーシング１１は、例えば全体として側壁部１１ａ部分が断面逆Ｕ字状の２重壁よりなる有底筒状構造をなし、その平面形状は、例えば図４に示されているように、前方後円形状をなしている。そして、その方形部側の側壁部１１ａの外壁１１ｂの下部部分は、例えば図２および図３に示されるように、円弧部に形成されて、所定寸法下方に延設されている。そして、同外壁１１ｂ部分には上述した回転操作機構４の後述する円形の回転ハンドル４１を回転可能に取り付けるための円形皿状のハンドル設置用凹溝部１２が設けられている。該円形皿状のハンドル設置用凹溝部１２の中心部には、回転軸支持用の筒状のボス（軸受ボス）１２ａが設けられており、該ボス１２ａを利用して回転ハンドル４１側の回転軸４２が水平方向に挿入支持されている。この回転軸４２は、上記本体ケーシング１１の底壁部１１ｃの下方にあって、その中心軸方向に所定の長さ延設されている。そして、その先端には、第１のベベルギヤ６１が設けられている。この回転軸４２は、その中間位置を、後述するギヤボックスカバー３３の軸支部３２で支持されている。
【００４２】
なお、符号１２ｂは、上記外壁１１ｂのハンドル設置用凹溝部１２の周壁部、１２ｃは回転ハンドル４１と当接して摺動するガイドレール部である。
【００４３】
一方、回転ハンドル４１は、同じく円形皿状の本体部材の外端側外周面の直交方向所定位置に、回転軸４５を介して相対回転自在に取り付けられた回転操作用のノブ４６を有するとともに、その内端側軸方向に起立した外周縁部の全周には、半径方向に延びる平歯が周方向に並設されたフェースギヤ構造の円形ギヤ（第２の歯車）４７が設けられている。そして、該円形ギヤ４７のギヤ部は、次に述べるソフトアイス製造装置１の本体ケーシング１１側回転ケーシング１４の上端側開口縁部１５の外周面に設けられているリングギヤ１６のギヤ部と水平方向に対向し、上下方向にスライド可能に噛合して、同回転ケーシング１４を確実に回転させるようになっている（平歯車による交差軸結合構造を採用）。
【００４４】
そして、これら円形ギヤ４７とリングギヤ１６とによって、上記回転ハンドル４１の回転力を上記回転ケーシング１４に確実に伝達する上述の第１の回転力伝達機構５が形成されている。
【００４５】
なお、図３中の符号４３は、上記回転ハンドル４１側の上記回転軸４２との連結用ボス、４４は、同ボス４３内に挿通される連結用の固定ネジを示している。
【００４６】
また、上記本体ケーシング１１の中央部側中心軸部分には、下方側底壁部１１ｃよりも低い位置から上方側開口面位置まで延びる状態で内側が中空の筒状の固定軸１３が一体に成形されている。該筒状の固定軸１３の内部は、上下方向に完全に貫通している。
【００４７】
そして、この筒状の固定軸１３には、中心軸側に筒状のハブ１４ａ、該ハブ１４ａの半径方向外周部側に筒状壁１４ｂ、上記ハブ１４ａの外周とその半径方向外周部側上記筒状壁１４ｂとの間に位置して、その上方から下方に連続して延びるスパイラル構造のスクリュー羽根１４ｃを各々備えた氷等の搬送、押圧、回転機能を持つ回転ケーシング１４が、上記筒状のハブ１４ａおよびスリーブ構造の摺動部材２０を介して回転可能に遊嵌支持されている。
【００４８】
この回転ケーシング１４は、その外周部側筒状壁１４ａの上端側開口縁部１５が、その外径を上方に向けて漏斗形状に拡大したホッパー構造となっており、氷等が投入されやすくなっているとともに、当該開口縁部１５の下端側外周面には上下方向に延びる平歯１６ａ，１６ａ・・・が周方向に多数枚並設された平歯車よりなるリングギヤ１６が下方側から固定ネジ１７，１７・・・により固定して設けられている。このリングギヤ１６のハブ部分下面には、周方向に所定の間隔で、下方側本体ケーシング１１の側壁部１１ａの上端側段部構造の回転支持面（フラット面）１１ｄに対して摩擦抵抗なく点接触する小さな摺動用突起１６ｂ，１６ｂ・・・が多数設けられており、同支持面１１ｄ上をスムーズに回転摺動するようになっている。
【００４９】
一方、上記摺動部材２０は、例えばＡＢＳに比べてコストは高いが摺動性能・耐摩耗性能の高いＰＯＭ樹脂材（ポリアセタール）により成形されているとともに、図１１および図１２に示されるように、その下端側外周に上記ハブ１４ａの下端側内周面の係合溝との係合リブ２０ａ，２０ａ・・・を有して係合されるようになっており、その上部側中間位置外周には、上記回転ケーシング１４のハブ１４ａ部分を下方に係合押圧するフランジ部２０ｂが、また上端部には後述する蓋８側の円筒柱状構造の押圧部材８１Ａと対応して下方に押圧される所定の直径の押圧面２０Ｃが、それぞれ設けられている。上記係合リブ２０ａ，２０ａ・・・は、スリーブ状の本体側壁部に縦方向のＵ状のスリット２０ｄ，２０ｄ・・・を入れることにより形成されている。
【００５０】
すなわち、上記回転ケーシング１４内に氷等を入れて回転させると、しばらくの間は氷等の大きさが大きいために、相当の上下方向の振動やガタ付きを伴う。それと同時に、上記回転ケーシング１４が上下に昇降したり、傾動したりする。そのために、安定した切削ができない。
【００５１】
したがって、一定の薄さの舌ざわりの良いソフトな氷の安定した切削を可能とするためには、上記回転ケーシング１４を確実にソフトアイス製造装置１の本体ケーシング１１側に固定する必要がある。
【００５２】
そのために、例えば図３、図９、図１０に示されるように、上記蓋８は、上記回転ケーシング１４内へ氷等を入れた後の本体ケーシング１１開口縁部１５への嵌合時、上記回転ケーシング１４の回転方向と同方向への回転操作により、その外周縁部８２側を上記本体ケーシング１１の上端側開口縁部１６に対してヘリコイド係合されるようになっているとともに、その中心軸部分には所定寸法下方に突出した円筒軸構造の押圧部材８１Ａが設けられており、上記ヘリコイド係合状態において、同押圧部材８１Ａによって、上記摺動部材２０を介して上記回転ケーシング１４を、その中心軸位置で確実に押圧固定するようになっている。符号１６ａ，１６ａ・・・が本体ケーシング１１側ヘリコイド係合部、８２ａ，８２ａ・・・が蓋８側ヘリコイド係合部である。
【００５３】
また、上記蓋８の裏面側外周部分には、所定の間隔を保って、例えば周方向の４ケ所に上記押圧部材８１Ａよりも径の小さな押圧部材８１Ｂ，８１Ｂ，８１Ｂ，８１Ｂが設けられており、上記回転ケーシング１４上端の開口縁部１５の立縁部１５ａ上端と相対摺動可能に衝合するようになっている。
【００５４】
そして、これら押圧部材８１Ａ，８１Ｂ，８１Ｂ・・・と摺動部材２０、立縁部１５ａが、上記蓋８と回転ケーシング１１との間の半径方向の位置を異にする複数の個所において、相対摺動自在に衝合して上記回転ケーシングの昇降、傾動等の移動を阻止する衝合部を形成している。
【００５５】
そして、これら衝合部の一方の少なくとも押圧部材８１Ａ，８１Ｂ，８１Ｂ・・・は、例えば図１３および図１４に示されるように、蓋本体側ＡＢＳ樹脂よりなる筒状部８ａ，８ａ・・・と、その先端側開口部に噛合固定された摺動性能・耐摩耗性能の高い例えばＰＯＭ樹脂（ポリアセタール）よりなる摺動ピース８ｂ，８ｂ・・・とから形成されている。
【００５６】
上記各衝合部は、衝合当接した状態では、相互に摺動しながら、相対的に回転する。
【００５７】
したがって、それら衝合面は、摩擦係数が小さく、かつ硬度も高くて摺動性の高いものであることが好ましい。
【００５８】
したがって、上記のように衝合部各々の少なくとも衝合面を形成する部分は、その両方又は何れか一方部分をＰＯＭ樹脂材料により形成する。
【００５９】
また、その場合、上記蓋中心軸部分の押圧部材８１Ａは、外周部分の押圧部材８１Ｂ，８１Ｂ・・・よりも相対的に高さが高く形成されている。
【００６０】
そのようにすると、基本的には、先ず回転ケーシング１４の上下動を蓋中心軸部分の押圧部材８１Ａで同軸方向に受け止めて確実に係止し、１点での点接触に近い低回転抵抗でスムーズに回転させる。
【００６１】
一方、同状態から所定角度以上傾動すると、今度は外周部の周方向複数の押圧部材８１Ｂ，８１Ｂ・・・部が回転ケーシング１１外周側の開口部１５の立縁部１５ａ上端を受け止めて、それ以上の傾動を阻止し、可及的にスムーズな回転を確保するようになる。
【００６２】
さらに、その場合において、同立縁部１５ａの半径方向の幅は、衝合する押圧部材８１Ｂ，８１Ｂ・・・の衝合面である摺動ピース８ｂの径よりも小さく形成される。
【００６３】
このように構成されていると、蓋８側の摺動ピース８ｂ，８ｂ・・・に対し回転ケーシング１１外周側開口縁部１５の立縁部１５ａ上端が確実に衝合当接して係止される一方、該当接係止状態における相互の接触部の面積が小さくなるから、摺動時の接触抵抗も小さく、回転ケーシングの回転のスムーズさを確保することができる。
【００６４】
また、上記蓋８は、上記のようなヘリコイド構造の堅い回転操作を容易にするために、上面側中央部において、その操作部８３の左右両側に所定の深さの凹溝８４，８４が設けられている。
【００６５】
一方、上記本体ケーシング１１の底壁部１１ｃには、上記固定軸１３と上記側壁部１１ｂの内壁との間にあって、その半径方向に延びるスリット１１ｅが設けられており、該スリット１１ｅに対して、例えば図８に示すように所定の切り込み角を有して、切削刃１８が設けられている。該切削刃１８は、その刃部１８ａの上記底壁部１１ｃ面から上方への突出量を、図示の固定ネジ１９を緩めて切削刃１８自体を所定量矢印方向（イ）にスライドさせることによって、任意に調節することができる。なお、図８において、符号１１ｆで示す厚肉部分は、同固定ネジ１９の螺合溝１９ａを備えた切削刃取付用のボス部である。
【００６６】
そして、上記スクリュー羽根１４ｃを備えた回転ケーシング１４および切削刃１８が、上述の氷等の切削機構１Ａを構成しており、上記のように上端側開口縁部１５が漏斗形状となった上記回転ケーシング１４内に、まとめて投入された氷等は、その非回転状態においては単に氷等搬入用のシューターとして機能する上記スクリュー羽根１４ｃの上方から下方に傾斜した羽根上面によって底部までスムーズに送り込まれる。
【００６７】
そして、その後、上記回転ハンドル４１が回転操作され、上記第１の回転力伝達機構５を介して上記回転ケーシング１４が回転されると、同スクリュー羽根１４ｃも一緒に回転して、上記氷等が、同スクリュー羽根１４ｃのシューター面とは逆の羽根裏面側で押え付けられながら、上記底壁部１１ｃ面上を滑りながら回転する。同回転方向は、例えば図８中に矢印（ロ）で示すように、上述した切削刃１８の刃部１８ａに向かう方向となっており、氷等は１回転する間に１回、確実にスライスされる。
【００６８】
そして、該スライスされた氷等は、上記スリット１１ｅから下方に落下し、後述する受けカップ２内に搬入されて、その撹拌手段２Ａにより撹拌（スクランブル）される。該撹拌手段２Ａは、図７のような撹拌羽根２６で構成されている。
【００６９】
次に受けカップ２は、下部側ケーシングとして例えば図６に示されるように構成されており、図３に示されるように、上記スタンド３の底部側ベースプレート３１上に昇降構造７を介して載置されるようになっている。
【００７０】
すなわち、この受けカップ２は、例えば図３および図６のように、上記ソフトアイス製造装置１側本体ケーシング１１の略外径に対応した開口径の例えば透明材よりなるカップ本体２１と、該カップ本体２１の底部上面側中心軸位置に所定の高さ上方側に立設された撹拌羽根嵌合用の支持ポスト２２と、同底部下面に突設された、対向する両側が偏平した偏平円形状の底部材２３と、上記カップ本体２１の上端側一側に設けられた把手部材２４とから構成されている。
【００７１】
上記スタンド３のベースプレート３１上の受けカップ昇降構造７は、当該ベースプレート３１の略中央部に設けられており、例えば図１に示すように、正面方向左側６０°程度の挿入角度で、同昇降構造部７に上記受けカップ２が底部材２３の係合により水平にガイドされて挿入されるように斜め方向のガイド溝７１が設けられている。そして、同昇降構造部７に到達した部分で、例えば上記挿入された受けカップ２の把手部材２４を右側正面方向に約６０°回すと、同受けカップ２の底部材２３が上記ガイド溝７１の底面位置から、図３に示す上記ベースプレート３１の上面位置までスライドアップされるようになっている。
【００７２】
そのために、上記昇降構造部７には、上記のように受けカップ２の底部材２３を回転操作に応じてスライドアップさせるための傾斜面７２，７２が設けられている。
【００７３】
一方、上記受けカップ２のカップ本体２１内には、上述のように撹拌羽根嵌合用の支持ポスト２２が設けられており、上述した撹拌手段２Ａを構成する例えば図７に示すような構造の撹拌羽根２６が、図３のような状態で嵌合支持されるようになっている。この撹拌羽根２６は、そのために、その回転軸２６ａの下端側に上記撹拌羽根支持ポスト２２への嵌合孔２６ｂが設けられている。また、他方上端側には、上記スタンド３の上端側に設けられている上述した第２の回転力伝達機構６の出力軸の後述する６角構造のスプライン溝６６内に嵌合する６角構造のスプライン凸部２６ｃが設けられている。
【００７４】
そして、上記のように受けカップ２が、上記ベースプレート３１の上面位置までスライドアップした時には、それらが確実にスプライン嵌合して、当該撹拌羽根２６が回転されるようになっている。
【００７５】
その結果、上記のように、本体ケーシング１１側回転ケーシング１４内の切削機構１Ａでスライスされた後、スムージー容器としての受けカップ２内に移される材料は、該撹拌羽根２６によって効果的にスクランブルされて、きわめて滑らかな良質のスムージーとなる。
【００７６】
一方、上記スタンド３は、上記ベースプレート３１と該ベースプレート３１の方形部から背面部側に亘って平面円弧形状に延びる側壁部３２を有するとともに、上記回転ハンドル４１および本体ケーシング１１の円弧状凸部の係合用凹部３５が形成されている。
【００７７】
そして、その側壁部３２上に上記本体ケーシング１１が設けられ、例えば固定ネジ３４，３４・・・を介して下方側から連結して固定されている。そして、該支持状態において、上記受けカップと上記本体ケーシング１１の底壁部１１ｃとの間には、図３に示すように、上下方向に所定の広さの空間が形成され、同空間を利用して上述した回転ハンドル４１の第１のベベルギヤ６１を有する回転軸４２が延設されている。
【００７８】
第１のベベルギヤ６１には、さらに水平配置された第２のベベルギヤ６２が噛合され、該第２のベベルギヤ６２には、さらに、その外周端側に第１の平ギヤ６３が一体に設けられている。そして、この第１の平ギヤ６３は、上記撹拌羽根２６を回転させるための出力軸である上記スプライン溝６６を備えたスプライン軸６４上端の第２の平ギヤ６５に噛合されている。上記スプライン軸６４は、上記本体ケーシング１１側の軸部材１３の下端部に回転可能に緩衝スプリングを介して支持された昇降軸６７の下端に一体化されている。これら第１のベベルギヤ６１、第２のベベルギヤ６２、第１の平ギヤ６３、第２の平ギヤ６５、スプライン軸６４等が上述した第２の回転力伝達機構６を形成している。
【００７９】
そして、上記回転ハンドル４１が回転操作されると、その回転軸４２を介して、同第２の回転力伝達機構６が作動し、それらのギヤ比により増速された所定の回転速度で上記撹拌羽根２６が回転される。その結果、上記のようにソフトアイス製造装置１側で一定の薄さにスライスされた後、スムージー容器としての受けカップ２内に移される氷等は、該撹拌羽根２６によって効果的にスクランブルされて、滑らかなスムージーとなる。
【００８０】
なお、図３および図５中の符号３３は、上記第２の回転力伝達機構６部分を下方側からカバーするギヤボックスカバーであり、該ギヤボックスカバー３３の約１／３角（約１２０°角）部分には、上記本体ケーシング１１底部のスリット１１ｅから排出されるスライスされた氷等を上記受けカップ２側に移送する扇形のシュート口３３ａが設けられている。
【００８１】
以上のように、本願発明は、底部に形成したスリット部に切削刃を備えた有底筒状の装置本体と、該装置本体内に立設した固定軸に対してハブを介して回転可能に支持されているとともに、内側にスパイラル構造の氷押圧羽根を備えたホッパー状の回転ケーシングと、該回転ケーシングの外周に沿って設けられた第１の歯車と、上記装置本体の開口縁部に外周部が係合される蓋と、上記装置本体を支持する支持手段と、上記装置本体の一側部に上下方向に回転操作可能に軸支された回転ハンドルと、該回転ハンドルの操作面と反対面側の外周に設けられ、上記回転ケーシング側第１の歯車と交差方向に噛み合って上記第１の歯車を回転させる第２の歯車とを備え、上記回転ハンドルの回転操作により、上記回転ケーシング内の底部に投入された氷類を上記回転ケーシングのスパイラル構造の押圧羽根で押え付けながら、上記切削刃上を回転させて切削することにより、氷を削るようにしてなるソフトアイス製造装置であって、上記蓋と回転ケーシングとの間の半径方向の位置を異にする複数の個所に、相対摺動自在に衝合して上記回転ケーシングの移動を阻止する衝合部を設けたことを特徴としている。
【００８２】
このような構成によれば、例えば蓋および回転ケーシングの例えば半径方向中心軸部側の衝合部が、回転ケーシング中心軸部側摺動部材の上端部を回転抵抗の小さい可及的に小さな接触面積で確実に受け止め、回転ケーシングの安定した回転を確保する。
【００８３】
また蓋および回転ケーシングの例えば半径方向外周部側の衝合部が回転ケーシング外周部側を回転抵抗の小さい可及的に小さな接触面積で確実に受け止め、回転ケーシングの傾動をも防止する。
【００８４】
したがって、回転ケーシングの極めて安定した回転状態が実現される。
【００８５】
その結果、厚さの一定した氷類のスライスが可能になる。
【００８６】
また、本願発明は、上記の構成において、上記のように衝合部が設けられる半径方向の位置を異にする複数の個所は、蓋および回転ケーシングの中心軸部分と外周部分の複数の個所としている。
【００８７】
このような構成によると、基本的には、先ず回転ケーシングの上下動を蓋中心軸部分の衝合部で同軸方向に受け止めて確実に係止し、１点での点接触に近い低回転抵抗でスムーズに回転させることができる。
【００８８】
他方、同状態から所定角度以上傾動すると、今度は外周部の衝合部同士が回転ケーシングの外周部をスライド可能に受け止めて、それ以上の傾動を阻止し、可及的にスムーズな回転を確保することができる。
【００８９】
また、本願発明は、上記の構成において、衝合部各々の少なくとも衝合面を形成する部分は、その他の部分に比べて摺動性の高い材料により形成されている。
【００９０】
衝合部は、衝合当接した状態では、相互に摺動しながら、相対的に回転する。
【００９１】
したがって、それら衝合面は、共に摩擦係数が小さく、かつ硬度も高くて摺動性の高いものであることが好ましい。
【００９２】
したがって、上記のように衝合部各々の少なくとも衝合面を形成する部分は、その他の部分に比べて摺動性の高い材料により形成する。
【００９３】
また、本願発明は、上記の構成において、中心軸部分の衝合部は、蓋側のものが軸状の凸部であり、回転ケーシング側のものがハブの内側に嵌合され、装置本体側固定軸との間で摺動作用を果たすスリーブ状の摺動部材の上端部としている。
【００９４】
このような構成によれば、蓋中心軸部側軸状の凸部が、回転ケーシング中心軸部側摺動部材の上端部を回転抵抗の小さい可及的に小さな接触面積で確実に受け止め、回転ケーシングの安定した回転を確保する。
【００９５】
また、本願発明は、上記の構成において、外周部分の衝合部は、蓋側のものが軸状の凸部であり、回転ケーシング側のものは開口部外周の立縁部としている。
【００９６】
このような構成によれば、蓋外周部側軸状の凸部が、回転ケーシング外周部側開口部の立縁部上端を回転抵抗の小さい可及的に小さな接触面積で確実に受け止め、回転ケーシングの安定した回転を確保する。
【００９７】
また、本願発明は、上記の構成において、上記蓋中心軸部分の凸部は、外周部分の凸部よりも相対的に高さが高くなっている。
【００９８】
このような構成によると、基本的には、先ず回転ケーシングの上下動を蓋中心軸部分の凸部で同軸方向に受け止めて確実に係止し、１点での点接触に近い低回転抵抗でスムーズに回転させる。
【００９９】
一方、同状態から所定角度以上傾動すると、今度は外周部の軸状の凸部が回転ケーシング外周側の開口部の立縁部上端を受け止めて、それ以上の傾動を阻止し、可及的にスムーズな回転を確保する。
【０１００】
また本願発明は、上記の構成において、立縁部の半径方向の幅は、衝合する凸部の衝合面の径よりも小さく形成されている。
【０１０１】
このように構成されていると、蓋側の軸状の凸部に対し回転ケーシング外周側開口部の立縁部上端が確実に衝合当接して係止される一方、該当接係止状態における相互の接触部の面積が小さくなるから、摺動時の接触抵抗も小さく、回転ケーシングの回転のスムーズさを確保することができる。
【０１０２】
さらに、本願発明は、上記の構成において、装置本体の開口縁部と蓋外周縁部との係合は、蓋閉回転方向に係合されるヘリコイド係合としている。
【０１０３】
このように構成されると、蓋全体の装置本体に対する係止、固定が確実になり、振動等によっても係合が容易には緩まない。
【０１０４】
以上の結果、本願発明のソフトアイス製造装置によると、氷切削時において安定した回転ケーシングの回転動作が確保され、一定の薄さのソフトな氷をスムーズにスライスすることが可能となる。
【０１０５】
その結果、通常の氷かき装置としてはもちろん、スムージーメーカーなどのソフトアイス飲料製造装置に適したソフトアイス製造装置となる。
【図面の簡単な説明】
【図１】本願発明の実施の形態１に係るソフトアイス製造装置を適用して構成したソフトアイス飲料製造装置の構成を示す正面図である。
【図２】同装置の構成を示す右側面図である。
【図３】同装置の背面方向から見た縦断面図である。
【図４】同装置の平面図である。
【図５】同装置の底面図である。
【図６】同装置の受けカップの縦断面図である。
【図７】同装置の撹拌羽根の正面図である。
【図８】同装置の切削部の拡大断面図である。
【図９】同装置の要部の構成を示す分解斜視図である。
【図１０】同装置の蓋の構成を示す底面図である。
【図１１】同装置の摺動部材の構成を示す平面図である。
【図１２】同装置の摺動部材の構成を示す縦断面図である。
【図１３】同装置の押圧部材の構成を示す底面図である。
【図１４】同装置の押圧部材の構成を示す縦断面図である。
【符号の説明】
１はソフトアイス製造装置、１Ａは氷等切削機構、２は受けカップ、２Ａは撹拌手段、３はスタンド、４は回転操作機構、５は第１の回転力伝達機構、６は第２の回転力伝達機構、７は昇降構造部、８は蓋、８ａは筒状部、８ｂは摺動ピース、１１は本体ケーシング、１４は回転ケーシング、１５は開口縁部、１５ａは立縁部、８１Ａは第１の押圧部材、８１Ｂは第２の押圧部材である。
【図１】
2004177088.tif 000003
【図２】
2004177088.tif 000004
【図３】
2004177088.tif 000005
【図４】
2004177088.tif 000006
【図５】
2004177088.tif 000007
【図６】
2004177088.tif 000008
【図７】
2004177088.tif 000009
【図８】
2004177088.tif 000010
【図９】
2004177088.tif 000011
【図１０】
2004177088.tif 000012
【図１１】
2004177088.tif 000013
【図１２】
2004177088.tif 000014
【図１３】
2004177088.tif 000015
【図１４】
2004177088.tif 000016